【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置に入賞として定められた図柄組合せが導出されたときに入賞が発生可能とされ、ゲームの試験を行う際に接続される試験装置からの試験用信号の入力に基づき自動的にゲームを行うことが可能な遊技機であって、
遊技媒体の投入を示し、ＯＦＦからＯＮに変化した後にＯＦＦに変化する試験用投入信号の入力を検出する投入信号検出手段と、
前記投入信号検出手段が前記試験用投入信号の入力を検出したときに前記賭数を設定する賭数設定手段と、
前記所定数の賭数が設定された状態でゲームの開始操作を示す試験用開始操作信号が検出されたときに複数種類の入賞について発生を許容するか否かを決定する事前決定手段と、
前記事前決定手段によりいずれかの入賞の発生が許容され、導出操作を示す試験用導出操作信号が検出されたタイミングが、該許容された入賞の構成図柄の引込範囲内のタイミングであることを条件に、該許容された入賞の図柄組合せを導出させる制御を行う導出制御手段と、
遊技媒体の付与を伴う小役入賞が発生したときに、該小役入賞に応じて定められた数の遊技媒体を払い出す遊技媒体払出手段と、
遊技媒体の払出を示す試験用払出信号の入力を検出する払出信号検出手段と、
前記払出信号検出手段が前記試験用払出信号の入力を検出する毎に前記遊技媒体払出手段により払い出された遊技媒体数として計数する遊技媒体数計数手段と、
遊技者にとって有利な特別遊技状態の付与を伴う特別入賞が発生したときに、前記特別遊技状態に制御する特別遊技状態制御手段と、
前記試験装置に対して遊技機が行う複数種類の制御状態を示す試験信号を出力するための制御を行う試験信号出力制御手段と、
前記遊技媒体を投入可能な状態である旨を点滅により報知する投入可否報知手段と、
ゲームが開始可能な状態である旨を点灯により報知する開始可否報知手段と、
を備え、
該試験信号出力制御手段は、
ゲームが終了して遊技媒体の投入が可能な状態となったときに、前記試験装置に対して前記試験用投入信号の出力を要求する投入要求信号を前記試験信号として出力するための制御を行う投入要求信号出力制御手段と、
前記所定数の賭数が設定されてゲームが開始可能な状態となったときに、前記試験装置に対して前記試験用開始操作信号の出力を要求する開始要求信号を前記試験信号として出力するための制御を行う開始要求信号出力制御手段と、
前記小役入賞が発生して遊技媒体の払出を行うときに、前記試験装置に対して前記試験用払出信号の出力を要求する払出要求信号を前記試験信号として出力するための制御を行う払出要求信号出力制御手段と、
前記事前決定手段の決定状況を示す事前決定信号を前記試験信号として出力するための制御を行う事前決定信号出力制御手段と、
前記特別遊技状態に制御されている旨を示す特別遊技状態中信号を前記試験信号として出力するための制御を行う特別遊技状態中信号出力制御手段と、
を含み、
前記投入要求信号出力制御手段は、
前記小役入賞が発生したゲームの終了後、前記投入要求信号をＯＮに変化させる場合には、前記払出要求信号出力制御手段が前記小役入賞の発生に伴う前記払出要求信号をＯＦＦに変化させた時点から所定時間経過した時点で前記投入要求信号をＯＮに変化させる制御を行い、
前記投入要求信号がＯＮの状態で、かつ試験用投入信号があと１回入力されると遊技媒体の投入が不可能となる状態において前記試験用投入信号のＯＮが検出された後、該試験用投入信号がＯＦＦとなる前に、前記投入要求信号をＯＦＦに変化させる制御を行い、
前記事前決定信号出力制御手段は、
前記事前決定信号をパラレル信号にて出力するための制御を行い、
前記事前決定手段による決定がなされたときから次のゲームにおいて前記事前決定手段による決定がなされるまで前記事前決定信号の出力状態を維持するとともに、前記事前決定手段による決定がなされたときのみ新しい結果に基づく出力状態に切り替え、
前記開始要求信号出力制御手段は、前記開始要求信号として前記開始可否報知手段の駆動信号を利用し、
前記投入要求信号出力制御手段は、前記投入可否報知手段の駆動信号とは別個に前記投入要求信号を生成する
ことを特徴とする遊技機。
【請求項２】
１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置に入賞として定められた図柄組合せが導出されたときに入賞が発生可能とされ、ゲームの試験を行う際に接続される試験装置からの試験用信号の入力に基づき自動的にゲームを行うことが可能な遊技機であって、
遊技媒体の投入を示し、ＯＦＦからＯＮに変化した後にＯＦＦに変化する試験用投入信号の入力を検出する投入信号検出手段と、
前記投入信号検出手段が前記試験用投入信号の入力を検出したときに前記賭数を設定する賭数設定手段と、
前記所定数の賭数が設定された状態でゲームの開始操作を示す試験用開始操作信号が検出されたときに複数種類の入賞について発生を許容するか否かを決定する事前決定手段と、
前記事前決定手段によりいずれかの入賞の発生が許容され、導出操作を示す試験用導出操作信号が検出されたタイミングが、該許容された入賞の構成図柄の引込範囲内のタイミングであることを条件に、該許容された入賞の図柄組合せを導出させる制御を行う導出制御手段と、
遊技媒体の付与を伴う小役入賞が発生したときに、該小役入賞に応じて定められた数の遊技媒体を払い出す遊技媒体払出手段と、
遊技媒体の払出を示す試験用払出信号の入力を検出する払出信号検出手段と、
前記払出信号検出手段が前記試験用払出信号の入力を検出する毎に前記遊技媒体払出手段により払い出された遊技媒体数として計数する遊技媒体数計数手段と、
遊技者にとって有利な特別遊技状態の付与を伴う特別入賞が発生したときに、前記特別遊技状態に制御する特別遊技状態制御手段と、
前記試験装置に対して遊技機が行う複数種類の制御状態を示す試験信号を出力するための制御を行う試験信号出力制御手段と、
前記遊技媒体を投入可能な状態である旨を点滅により報知する投入可否報知手段と、
ゲームが開始可能な状態である旨を点灯により報知する開始可否報知手段と、
を備え、
該試験信号出力制御手段は、
ゲームが終了して遊技媒体の投入が可能な状態となったときに、前記試験装置に対して前記試験用投入信号の出力を要求する投入要求信号を前記試験信号として出力するための制御を行う投入要求信号出力制御手段と、
前記所定数の賭数が設定されてゲームが開始可能な状態となったときに、前記試験装置に対して前記試験用開始操作信号の出力を要求する開始要求信号を前記試験信号として出力するための制御を行う開始要求信号出力制御手段と、
前記小役入賞が発生して遊技媒体の払出を行うときに、前記試験装置に対して前記試験用払出信号の出力を要求する払出要求信号を前記試験信号として出力するための制御を行う払出要求信号出力制御手段と、
前記事前決定手段の決定状況を示す事前決定信号を前記試験信号として出力するための制御を行う事前決定信号出力制御手段と、
前記特別遊技状態に制御されている旨を示す特別遊技状態中信号を前記試験信号として出力するための制御を行う特別遊技状態中信号出力制御手段と、
を含み、
前記投入要求信号出力制御手段は、
前記小役入賞が発生したゲームの終了後、前記投入要求信号をＯＮに変化させる場合には、前記払出要求信号出力制御手段が前記小役入賞の発生に伴う前記払出要求信号をＯＦＦに変化させた時点から所定時間経過した時点で前記投入要求信号をＯＮに変化させる制御を行い、
前記投入要求信号がＯＮの状態で、かつ試験用投入信号があと１回入力されると遊技媒体の投入が不可能となる状態において前記試験用投入信号のＯＮが検出された後、該試験用投入信号がＯＦＦとなる前に、前記投入要求信号をＯＦＦに変化させる制御を行い、
前記事前決定信号出力制御手段は、
前記事前決定信号をパラレル信号にて出力するための制御を行い、
前記事前決定手段による決定がなされたときから次のゲームにおいて前記事前決定手段による決定がなされるまで前記事前決定信号の出力状態を維持するとともに、前記事前決定手段による決定がなされたときのみ新しい結果に基づく出力状態に切り替え、
前記開始要求信号出力制御手段は、前記開始要求信号として前記開始可否報知手段の駆動信号を利用し、
前記投入要求信号出力制御手段は、前記投入要求信号として前記投入可否報知手段の駆動信号を利用し、
前記スロットマシンは、前記投入可否報知手段を点滅状態に駆動する駆動信号を点灯状態に駆動する駆動信号に補正する信号補正手段をさらに備える
ことを特徴とする遊技機。
【手続補正２】
【補正対象書類名】明細書
【補正対象項目名】０００６
【補正方法】変更
【補正の内容】
【０００６】
上記課題を解決するために、本発明の請求項１に記載の遊技機は、
１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置に入賞として定められた図柄組合せが導出されたときに入賞が発生可能とされ、ゲームの試験を行う際に接続される試験装置からの試験用信号の入力に基づき自動的にゲームを行うことが可能な遊技機であって、
遊技媒体の投入を示し、ＯＦＦからＯＮに変化した後にＯＦＦに変化する試験用投入信号の入力を検出する投入信号検出手段と、
前記投入信号検出手段が前記試験用投入信号の入力を検出したときに前記賭数を設定する賭数設定手段と、
前記所定数の賭数が設定された状態でゲームの開始操作を示す試験用開始操作信号が検出されたときに複数種類の入賞について発生を許容するか否かを決定する事前決定手段と、
前記事前決定手段によりいずれかの入賞の発生が許容され、導出操作を示す試験用導出操作信号が検出されたタイミングが、該許容された入賞の構成図柄の引込範囲内のタイミングであることを条件に、該許容された入賞の図柄組合せを導出させる制御を行う導出制御手段と、
遊技媒体の付与を伴う小役入賞が発生したときに、該小役入賞に応じて定められた数の遊技媒体を払い出す遊技媒体払出手段と、
遊技媒体の払出を示す試験用払出信号の入力を検出する払出信号検出手段と、
前記払出信号検出手段が前記試験用払出信号の入力を検出する毎に前記遊技媒体払出手段により払い出された遊技媒体数として計数する遊技媒体数計数手段と、
遊技者にとって有利な特別遊技状態の付与を伴う特別入賞が発生したときに、前記特別遊技状態に制御する特別遊技状態制御手段と、
前記試験装置に対して遊技機が行う複数種類の制御状態を示す試験信号を出力するための制御を行う試験信号出力制御手段と、
前記遊技媒体を投入可能な状態である旨を点滅により報知する投入可否報知手段と、
ゲームが開始可能な状態である旨を点灯により報知する開始可否報知手段と、
を備え、
該試験信号出力制御手段は、
ゲームが終了して遊技媒体の投入が可能な状態となったときに、前記試験装置に対して前記試験用投入信号の出力を要求する投入要求信号を前記試験信号として出力するための制御を行う投入要求信号出力制御手段と、
前記所定数の賭数が設定されてゲームが開始可能な状態となったときに、前記試験装置に対して前記試験用開始操作信号の出力を要求する開始要求信号を前記試験信号として出力するための制御を行う開始要求信号出力制御手段と、
前記小役入賞が発生して遊技媒体の払出を行うときに、前記試験装置に対して前記試験用払出信号の出力を要求する払出要求信号を前記試験信号として出力するための制御を行う払出要求信号出力制御手段と、
前記事前決定手段の決定状況を示す事前決定信号を前記試験信号として出力するための制御を行う事前決定信号出力制御手段と、
前記特別遊技状態に制御されている旨を示す特別遊技状態中信号を前記試験信号として出力するための制御を行う特別遊技状態中信号出力制御手段と、
を含み、
前記投入要求信号出力制御手段は、
前記小役入賞が発生したゲームの終了後、前記投入要求信号をＯＮに変化させる場合には、前記払出要求信号出力制御手段が前記小役入賞の発生に伴う前記払出要求信号をＯＦＦに変化させた時点から所定時間経過した時点で前記投入要求信号をＯＮに変化させる制御を行い、
前記投入要求信号がＯＮの状態で、かつ試験用投入信号があと１回入力されると遊技媒体の投入が不可能となる状態において前記試験用投入信号のＯＮが検出された後、該試験用投入信号がＯＦＦとなる前に、前記投入要求信号をＯＦＦに変化させる制御を行い、
前記事前決定信号出力制御手段は、
前記事前決定信号をパラレル信号にて出力するための制御を行い、
前記事前決定手段による決定がなされたときから次のゲームにおいて前記事前決定手段による決定がなされるまで前記事前決定信号の出力状態を維持するとともに、前記事前決定手段による決定がなされたときのみ新しい結果に基づく出力状態に切り替え、
前記開始要求信号出力制御手段は、前記開始要求信号として前記開始可否報知手段の駆動信号を利用し、
前記投入要求信号出力制御手段は、前記投入可否報知手段の駆動信号とは別個に前記投入要求信号を生成する
ことを特徴としている。
この特徴によれば、小役入賞が発生したゲームの終了後、投入要求信号をＯＮに変化させる場合には、払出要求信号をＯＦＦに変化させた時点から所定時間経過した時点で投入要求信号をＯＮに変化させるので、試験信号が示す制御状態に基づく遊技機の制御状態を試験装置側で誤認してしまうことがなく、試験装置側で遊技機の制御状態を正確に把握することが可能となるため、正確な制御状態の遷移に基づいて試験を行うことができる。
また、試験装置側で投入要求信号の停止を、試験用投入信号の出力を停止する前に把握できるので、投入要求信号が停止したにも関わらず試験装置側から試験用投入信号が入力されてしまうことを防止できる。
また、試験装置側で事前決定手段の決定状況を当該決定状況を常に把握できるので、どのタイミングでも事前決定手段の決定状況に関連する試験を正確に行うことができる。
また、ゲームが開始可能な状態を点灯により報知する開始可否報知手段の駆動信号を開始要求信号として利用する一方で、遊技媒体を投入可能な状態である旨を点滅により報知する投入可否報知手段の駆動信号は投入要求信号には利用せず、別個に生成するので、試験装置側で該投入要求信号に基づき前記遊技媒体の投入が要求された旨を正確に把握することができる。
本発明の請求項２に記載の遊技機は、
１ゲームに対して所定数の賭数を設定することによりゲームが開始可能となるとともに、各々が識別可能な複数種類の識別情報を変動表示可能な可変表示装置の表示結果が導出表示されることにより１ゲームが終了し、該可変表示装置に入賞として定められた図柄組合せが導出されたときに入賞が発生可能とされ、ゲームの試験を行う際に接続される試験装置からの試験用信号の入力に基づき自動的にゲームを行うことが可能な遊技機であって、
遊技媒体の投入を示し、ＯＦＦからＯＮに変化した後にＯＦＦに変化する試験用投入信号の入力を検出する投入信号検出手段と、
前記投入信号検出手段が前記試験用投入信号の入力を検出したときに前記賭数を設定する賭数設定手段と、
前記所定数の賭数が設定された状態でゲームの開始操作を示す試験用開始操作信号が検出されたときに複数種類の入賞について発生を許容するか否かを決定する事前決定手段と、
前記事前決定手段によりいずれかの入賞の発生が許容され、導出操作を示す試験用導出操作信号が検出されたタイミングが、該許容された入賞の構成図柄の引込範囲内のタイミングであることを条件に、該許容された入賞の図柄組合せを導出させる制御を行う導出制御手段と、
遊技媒体の付与を伴う小役入賞が発生したときに、該小役入賞に応じて定められた数の遊技媒体を払い出す遊技媒体払出手段と、
遊技媒体の払出を示す試験用払出信号の入力を検出する払出信号検出手段と、
前記払出信号検出手段が前記試験用払出信号の入力を検出する毎に前記遊技媒体払出手段により払い出された遊技媒体数として計数する遊技媒体数計数手段と、
遊技者にとって有利な特別遊技状態の付与を伴う特別入賞が発生したときに、前記特別遊技状態に制御する特別遊技状態制御手段と、
前記試験装置に対して遊技機が行う複数種類の制御状態を示す試験信号を出力するための制御を行う試験信号出力制御手段と、
前記遊技媒体を投入可能な状態である旨を点滅により報知する投入可否報知手段と、
ゲームが開始可能な状態である旨を点灯により報知する開始可否報知手段と、
を備え、
該試験信号出力制御手段は、
ゲームが終了して遊技媒体の投入が可能な状態となったときに、前記試験装置に対して前記試験用投入信号の出力を要求する投入要求信号を前記試験信号として出力するための制御を行う投入要求信号出力制御手段と、
前記所定数の賭数が設定されてゲームが開始可能な状態となったときに、前記試験装置に対して前記試験用開始操作信号の出力を要求する開始要求信号を前記試験信号として出力するための制御を行う開始要求信号出力制御手段と、
前記小役入賞が発生して遊技媒体の払出を行うときに、前記試験装置に対して前記試験用払出信号の出力を要求する払出要求信号を前記試験信号として出力するための制御を行う払出要求信号出力制御手段と、
前記事前決定手段の決定状況を示す事前決定信号を前記試験信号として出力するための制御を行う事前決定信号出力制御手段と、
前記特別遊技状態に制御されている旨を示す特別遊技状態中信号を前記試験信号として出力するための制御を行う特別遊技状態中信号出力制御手段と、
を含み、
前記投入要求信号出力制御手段は、
前記小役入賞が発生したゲームの終了後、前記投入要求信号をＯＮに変化させる場合には、前記払出要求信号出力制御手段が前記小役入賞の発生に伴う前記払出要求信号をＯＦＦに変化させた時点から所定時間経過した時点で前記投入要求信号をＯＮに変化させる制御を行い、
前記投入要求信号がＯＮの状態で、かつ試験用投入信号があと１回入力されると遊技媒体の投入が不可能となる状態において前記試験用投入信号のＯＮが検出された後、該試験用投入信号がＯＦＦとなる前に、前記投入要求信号をＯＦＦに変化させる制御を行い、
前記事前決定信号出力制御手段は、
前記事前決定信号をパラレル信号にて出力するための制御を行い、
前記事前決定手段による決定がなされたときから次のゲームにおいて前記事前決定手段による決定がなされるまで前記事前決定信号の出力状態を維持するとともに、前記事前決定手段による決定がなされたときのみ新しい結果に基づく出力状態に切り替え、
前記開始要求信号出力制御手段は、前記開始要求信号として前記開始可否報知手段の駆動信号を利用し、
前記投入要求信号出力制御手段は、前記投入要求信号として前記投入可否報知手段の駆動信号を利用し、
前記スロットマシンは、前記投入可否報知手段を点滅状態に駆動する駆動信号を点灯状態に駆動する駆動信号に補正する信号補正手段をさらに備える
ことを特徴としている。
この特徴によれば、小役入賞が発生したゲームの終了後、投入要求信号をＯＮに変化させる場合には、払出要求信号をＯＦＦに変化させた時点から所定時間経過した時点で投入要求信号をＯＮに変化させるので、試験信号が示す制御状態に基づく遊技機の制御状態を試験装置側で誤認してしまうことがなく、試験装置側で遊技機の制御状態を正確に把握することが可能となるため、正確な制御状態の遷移に基づいて試験を行うことができる。
また、試験装置側で投入要求信号の停止を、試験用投入信号の出力を停止する前に把握できるので、投入要求信号が停止したにも関わらず試験装置側から試験用投入信号が入力されてしまうことを防止できる。
また、試験装置側で事前決定手段の決定状況を当該決定状況を常に把握できるので、どのタイミングでも事前決定手段の決定状況に関連する試験を正確に行うことができる。
また、投入可否報知手段の駆動信号を投入要求信号として利用し、開始可否報知手段の駆動信号を開始要求信号として利用するとともに、遊技媒体を投入可能な状態である旨を点滅により報知する投入可否報知手段を点滅状態に駆動する駆動信号を点灯状態に駆動する駆動信号に補正するので、試験装置側で該投入要求信号に基づき前記遊技媒体の投入が要求された旨を正確に把握することができる。
尚、遊技機が行う制御状態を示す試験信号とは、例えば、遊技者による操作が可能か否かの状態や抽選結果等の内部的な決定状態、遊技状態等、遊技を行う過程で変化する制御状態を示す試験信号であり、センサやスイッチの検出状況やこれらセンサやスイッチの検出等に伴う計数状況を示す試験信号を含むものではない。
また、本発明の遊技機は、試験信号出力制御手段の制御により出力される試験信号の信号線やこれら信号線を試験装置に接続するためのコネクタ、試験信号を伝達するための配線パターン等を備えていないものであっても良い。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】０１６３
【補正方法】変更
【補正の内容】
【０１６３】
本発明の請求項１は、
１ゲームに対して所定数の賭数を設定することによりゲームが開始可能となるとともに、各々が識別可能な複数種類の識別情報を変動表示可能な可変表示装置（リール２Ｌ、２Ｃ、２Ｒ）の表示結果が導出表示されることにより１ゲームが終了し、該可変表示装置の表示結果に応じて入賞が発生可能とされ、ゲームの試験を行う際に接続される試験装置（試験装置２００）からの試験用信号の入力に基づき自動的にゲームを行うことが可能な遊技機（スロットマシン１）であって、
遊技媒体（メダル）の投入を示す試験用投入信号（投入スイッチ信号）がＯＦＦからＯＮに変化し、一定時間以上ＯＮが継続した後、ＯＦＦに変化したときに前記試験用投入信号の入力を検出する投入信号検出手段（インターフェイス基板１００）と、
前記投入信号検出手段が前記試験用投入信号（投入スイッチ信号）の入力を検出したときに前記賭数を設定する賭数設定手段と、
前記所定数の賭数が設定された状態でゲームの開始操作を示す試験用開始操作信号（リールスタートスイッチ信号）が検出されたときに複数種類の入賞について発生を許容するか否かを決定する事前決定手段（内部抽選）と、
前記事前決定手段（内部抽選）によりいずれかの入賞の発生が許容され、該許容された入賞に対応するタイミング（引込範囲内）で導出操作を示す試験用導出操作信号（第１〜３リールストップスイッチ信号）が検出されたときに該入賞に応じた表示結果を導出させる制御を行い、当該タイミング以外（引込範囲外）で導出操作を示す試験用導出操作信号（第１〜３リールストップスイッチ信号）が検出されたときに該入賞に応じた表示結果以外の表示結果を導出させる導出制御手段と、
遊技媒体（メダル）の付与を伴う小役入賞が発生したときに、該小役入賞に応じて定められた数の遊技媒体（メダル）を払い出す遊技媒体払出手段と、
遊技媒体（メダル）の払出を示す試験用払出信号（払出スイッチ信号）の入力を検出する払出信号検出手段（インターフェイス基板１００）と、
前記払出信号検出手段が前記試験用払出信号（払出スイッチ信号）の入力を検出する毎に前記遊技媒体払出手段により払い出された遊技媒体数として計数する遊技媒体数計数手段と、
遊技者にとって有利な特別遊技状態（ＢＢ、ＲＢ）の付与を伴う特別入賞（ＢＢ入賞、ＲＢ入賞）が発生したときに、前記特別遊技状態に制御する特別遊技状態制御手段と、
前記試験装置（試験装置２００）に対して遊技機（スロットマシン１）が行う複数種類の制御状態を示す試験信号を出力するための制御を行う試験信号出力制御手段と、
前記遊技媒体（メダル）を投入可能な状態である旨を点滅により報知する投入可否報知手段（投入要求ＬＥＤ１０）と、
ゲームが開始可能な状態である旨を点灯により報知する開始可否報知手段（スタート可能ＬＥＤ１１）と、
を備え、
該試験信号出力制御手段は、
ゲームが終了して遊技媒体（メダル）の投入が可能な状態となったときに、前記試験装置（試験装置２００）に対して前記試験用投入信号（投入スイッチ信号）の出力を要求する投入要求信号（投入要求ランプ信号）を前記試験信号として出力するための制御を行う投入要求信号出力制御手段と、
前記所定数の賭数が設定されてゲームが開始可能な状態となったときに、前記試験装置（試験装置２００）に対して前記試験用開始操作信号（リールスタートスイッチ信号）の出力を要求する開始要求信号（スタート可能ランプ信号）を前記試験信号として出力するための制御を行う開始要求信号出力制御手段と、
前記小役入賞が発生して遊技媒体（メダル）の払出を行うときに、前記試験装置（試験装置２００）に対して前記試験用払出信号（払出スイッチ信号）の出力を要求する払出要求信号を前記試験信号として出力するための制御を行う払出要求信号出力制御手段と、
前記事前決定手段（内部抽選）の決定状況を示す事前決定信号（内部当選フラグ信号）を前記試験信号として出力するための制御を行う事前決定信号出力制御手段と、
前記特別遊技状態（ＢＢ、ＲＢ）に制御されている旨を示す特別遊技状態中信号（ＢＢ中信号、ＲＢゲーム中信号）を前記試験信号として出力するための制御を行う特別遊技状態中信号出力制御手段と、
を含み、
前記投入許可信号出力制御手段は、
前記小役入賞が発生したゲームの終了後、前記投入許可信号（投入要求ランプ信号）をＯＮに変化させる場合には、前記払出動作が終了し、前記払出要求信号出力制御手段が前記払出要求信号をＯＦＦに変化させた時点から所定時間経過した時点で前記投入要求信号（投入要求ランプ信号）をＯＮに変化させる制御を行い、
前記投入要求信号（投入要求ランプ信号）がＯＮの状態で、かつ試験用投入信号（投入スイッチ信号）があと１回入力されると遊技媒体（メダル）の投入が不可能となる状態において前記試験用投入信号（投入スイッチ信号）のＯＮが検出された後、該試験用投入信号（投入スイッチ信号）がＯＦＦとなる前に、前記投入要求信号（投入要求ランプ信号）をＯＦＦに変化させる制御を行い、
前記事前決定信号出力制御手段は、
前記事前決定信号（内部当選フラグ信号）をパラレル信号にて出力するための制御を行い、
前記事前決定手段（内部抽選）による決定がなされたときから次のゲームにおいて前記事前決定手段（内部抽選）による決定がなされるまで前記事前決定信号（内部当選フラグ信号）の出力状態を維持するとともに、前記事前決定手段（内部抽選）による決定がなされたときのみ新しい結果に基づく出力状態に切り替え、
前記開始要求信号出力制御手段は、前記開始要求信号（スタート可能ランプ信号）として前記開始可否報知手段（スタート可能ＬＥＤ１１）の駆動信号を利用し、
前記投入要求信号出力制御手段は、前記投入可否報知手段（投入要求ＬＥＤ１０）の駆動信号とは別個に前記投入要求信号（投入要求ランプ信号）を生成する
本発明の請求項２は、
１ゲームに対して所定数の賭数を設定することによりゲームが開始可能となるとともに、各々が識別可能な複数種類の識別情報を変動表示可能な可変表示装置（リール２Ｌ、２Ｃ、２Ｒ）の表示結果が導出表示されることにより１ゲームが終了し、該可変表示装置の表示結果に応じて入賞が発生可能とされ、ゲームの試験を行う際に接続される試験装置（試験装置２００）からの試験用信号の入力に基づき自動的にゲームを行うことが可能な遊技機（スロットマシン１）であって、
遊技媒体（メダル）の投入を示す試験用投入信号（投入スイッチ信号）がＯＦＦからＯＮに変化し、一定時間以上ＯＮが継続した後、ＯＦＦに変化したときに前記試験用投入信号の入力を検出する投入信号検出手段（インターフェイス基板１００）と、
前記投入信号検出手段が前記試験用投入信号（投入スイッチ信号）の入力を検出したときに前記賭数を設定する賭数設定手段と、
前記所定数の賭数が設定された状態でゲームの開始操作を示す試験用開始操作信号（リールスタートスイッチ信号）が検出されたときに複数種類の入賞について発生を許容するか否かを決定する事前決定手段（内部抽選）と、
前記事前決定手段（内部抽選）によりいずれかの入賞の発生が許容され、該許容された入賞に対応するタイミング（引込範囲内）で導出操作を示す試験用導出操作信号（第１〜３リールストップスイッチ信号）が検出されたときに該入賞に応じた表示結果を導出させる制御を行い、当該タイミング以外（引込範囲外）で導出操作を示す試験用導出操作信号（第１〜３リールストップスイッチ信号）が検出されたときに該入賞に応じた表示結果以外の表示結果を導出させる導出制御手段と、
遊技媒体（メダル）の付与を伴う小役入賞が発生したときに、該小役入賞に応じて定められた数の遊技媒体（メダル）を払い出す遊技媒体払出手段と、
遊技媒体（メダル）の払出を示す試験用払出信号（払出スイッチ信号）の入力を検出する払出信号検出手段（インターフェイス基板１００）と、
前記払出信号検出手段が前記試験用払出信号（払出スイッチ信号）の入力を検出する毎に前記遊技媒体払出手段により払い出された遊技媒体数として計数する遊技媒体数計数手段と、
遊技者にとって有利な特別遊技状態（ＢＢ、ＲＢ）の付与を伴う特別入賞（ＢＢ入賞、ＲＢ入賞）が発生したときに、前記特別遊技状態に制御する特別遊技状態制御手段と、
前記試験装置（試験装置２００）に対して遊技機（スロットマシン１）が行う複数種類の制御状態を示す試験信号を出力するための制御を行う試験信号出力制御手段と、
前記遊技媒体（メダル）を投入可能な状態である旨を点滅により報知する投入可否報知手段（投入要求ＬＥＤ１０）と、
ゲームが開始可能な状態である旨を点灯により報知する開始可否報知手段（スタート可能ＬＥＤ１１）と、
を備え、
該試験信号出力制御手段は、
ゲームが終了して遊技媒体（メダル）の投入が可能な状態となったときに、前記試験装置（試験装置２００）に対して前記試験用投入信号（投入スイッチ信号）の出力を要求する投入要求信号（投入要求ランプ信号）を前記試験信号として出力するための制御を行う投入要求信号出力制御手段と、
前記所定数の賭数が設定されてゲームが開始可能な状態となったときに、前記試験装置（試験装置２００）に対して前記試験用開始操作信号（リールスタートスイッチ信号）の出力を要求する開始要求信号（スタート可能ランプ信号）を前記試験信号として出力するための制御を行う開始要求信号出力制御手段と、
前記小役入賞が発生して遊技媒体（メダル）の払出を行うときに、前記試験装置（試験装置２００）に対して前記試験用払出信号（払出スイッチ信号）の出力を要求する払出要求信号を前記試験信号として出力するための制御を行う払出要求信号出力制御手段と、
前記事前決定手段（内部抽選）の決定状況を示す事前決定信号（内部当選フラグ信号）を前記試験信号として出力するための制御を行う事前決定信号出力制御手段と、
前記特別遊技状態（ＢＢ、ＲＢ）に制御されている旨を示す特別遊技状態中信号（ＢＢ中信号、ＲＢゲーム中信号）を前記試験信号として出力するための制御を行う特別遊技状態中信号出力制御手段と、
を含み、
前記投入許可信号出力制御手段は、
前記小役入賞が発生したゲームの終了後、前記投入許可信号（投入要求ランプ信号）をＯＮに変化させる場合には、前記払出動作が終了し、前記払出要求信号出力制御手段が前記払出要求信号をＯＦＦに変化させた時点から所定時間経過した時点で前記投入要求信号（投入要求ランプ信号）をＯＮに変化させる制御を行い、
前記投入要求信号（投入要求ランプ信号）がＯＮの状態で、かつ試験用投入信号（投入スイッチ信号）があと１回入力されると遊技媒体（メダル）の投入が不可能となる状態において前記試験用投入信号（投入スイッチ信号）のＯＮが検出された後、該試験用投入信号（投入スイッチ信号）がＯＦＦとなる前に、前記投入要求信号（投入要求ランプ信号）をＯＦＦに変化させる制御を行い、
前記事前決定信号出力制御手段は、
前記事前決定信号（内部当選フラグ信号）をパラレル信号にて出力するための制御を行い、
前記事前決定手段（内部抽選）による決定がなされたときから次のゲームにおいて前記事前決定手段（内部抽選）による決定がなされるまで前記事前決定信号（内部当選フラグ信号）の出力状態を維持するとともに、前記事前決定手段（内部抽選）による決定がなされたときのみ新しい結果に基づく出力状態に切り替え、
前記開始要求信号出力制御手段は、前記開始要求信号（スタート可能ランプ信号）として前記開始可否報知手段（スタート可能ＬＥＤ１１）の駆動信号を利用し、
前記投入要求信号出力制御手段は、前記投入要求信号（投入要求ランプ信号）として前記投入可否報知手段（投入要求ＬＥＤ１０）の駆動信号を利用し、
前記スロットマシンは、前記投入可否報知手段（投入要求ＬＥＤ１０）を点滅状態に駆動する駆動信号を点灯状態に駆動する駆動信号に補正する信号補正手段をさらに備える。
【手続補正１１】
【補正対象書類名】明細書
【補正対象項目名】０１６４
【補正方法】削除
【補正の内容】
【手続補正１２】
【補正対象書類名】明細書
【補正対象項目名】０１６５
【補正方法】削除
【補正の内容】
【手続補正１３】
【補正対象書類名】明細書
【補正対象項目名】０１６６
【補正方法】削除
【補正の内容】
【手続補正１４】
【補正対象書類名】明細書
【補正対象項目名】０１６７
【補正方法】削除
【補正の内容】
【手続補正１５】
【補正対象書類名】明細書
【補正対象項目名】０１６８
【補正方法】削除
【補正の内容】
【手続補正１６】
【補正対象書類名】明細書
【補正対象項目名】０１６９
【補正方法】削除
【補正の内容】
【手続補正１７】
【補正対象書類名】明細書
【補正対象項目名】０１７０
【補正方法】削除
【補正の内容】